(57)【要約】【課題】二つの部材の二方向における相対位置を容易に調整することが可能な二つの部材の固定構造を提供する。【解決手段】突出部を備えた突出部保有部材と、前記突出部と係合し前記突出部保有部材を第１方向に相対移動可能に案内する第１案内部を有する第１部材と、前記第１案内部とともに前記突出部と係合する第２案内部を有し前記突出部保有部材に対し前記第１方向と交差する第２方向に相対移動可能な第２部材と、前記突出部保有部材と前記第１部材とを前記第１方向に相対移動不能に固定する固定具と、を有し、前記第２部材は、前記突出部保有部材と前記第１部材とのうちの少なくともいずれか一方に固定されている。【選択図】図２
2017009005.tif 000002
【特許請求の範囲】
【請求項１】
突出部を備えた突出部保有部材と、
前記突出部と係合し前記突出部保有部材を第１方向に相対移動可能に案内する第１案内部を有する第１部材と、
前記第１案内部とともに前記突出部と係合する第２案内部を有し前記突出部保有部材に対して前記第１方向と交差する第２方向に相対移動可能な第２部材と、
前記突出部保有部材と前記第１部材とを前記第１方向に相対移動不能に固定する固定具と、
を有し、
前記第２部材は、前記突出部保有部材と前記第１部材とのうちの少なくともいずれか一方に固定されていることを特徴とする二つの部材の固定構造。
【請求項２】
請求項１に記載の二つの部材の固定構造であって、
前記突出部保有部材は、基部材と、前記突出部をなし前記基部材に螺合されたボルトであり、
前記第１部材と前記第２部材とは前記ボルトが緩んだ状態で相対移動可能であり、
前記ボルトが締め込まれて前記第１部材と前記第２部材との相対移動が規制されて固定されることを特徴とする二つの部材の固定構造。
【請求項３】
請求項１または請求項２に記載の二つの部材の固定構造であって、
前記第１部材は構造体から張り出して設けられる長尺部材であり、
前記第２部材は前記構造体における前記長尺部材の張出位置に当該構造体から突出されて前記長尺部材が取り付けられる取付部材であることを特徴とする二つの部材の固定構造。
【請求項４】
請求項３に記載の二つの部材の固定構造であって、
前記長尺部材は長手方向に貫通する中空部を有しており、
前記突出部保有部材は、前記突出部を前記中空部材内から外側に突出させて前記長尺部材に設けられ、前記長尺部材に上方から固定されていることを特徴とする二つの部材の固定構造。
【請求項５】
請求項３に記載の二つの部材の固定構造であって、
前記長尺部材は長手方向に貫通する中空部を有しており、
前記突出部保有部材は、前記突出部を前記中空部材内から外側に突出させて前記長尺部材に設けられ、前記長尺部材に下方から固定されていることを特徴とする二つの部材の固定構造。
【請求項６】
請求項３乃至請求項５のいずれかに記載の二つの部材の固定構造であって、
前記長尺部材は前記第１方向および前記第２方向といずれも交差する第３方向に並べて複数設けられていることを特徴とする二つの部材の固定構造。
【発明の詳細な説明】
【技術分野】
【０００１】
本発明は、二つの部材の固定構造に関する。
【背景技術】
【０００２】
二つの部材を固定する固定構造としては、例えば、エレベータ乗場の出入口の下縁部が有する鉛直面に、金属板を屈曲させて溝状に形成した第１金具の底面がアンカーボルトにより締結され、締結された第１金具の両側壁に、敷居を支持する第２金具をボルトにより締結する固定構造が知られている(例えば、特許文献１参照)。第１金具の側壁には水平方向の長孔が設けられており、第２金具には、互いに離れて配置された縦長孔及びこれら縦長孔を繋ぐ横長孔からなる溝孔が設けられており、第１金具の長孔と第２金具の溝孔とに挿通された１本のボルトにナットを螺合して第１金具と第２金具とを固定している。
【先行技術文献】
【特許文献】
【０００３】
【特許文献１】実公昭６２−６０６７号公報
【発明の概要】
【発明が解決しようとする課題】
【０００４】
上記のような二つの部材の固定構造は、ボルトが挿通される部位が、第１金具では長孔であり、第２金具では二つの長孔が繋げられた溝孔であるため、第１金具と第２金具との相対位置を水平方向と鉛直方向とのいずれの方向にも調整可能である一方で、第１金具と第２金具とが互いに水平方向および鉛直方向のいずれにも同時に変位可能であるため、第１金具と第２金具とを水平方向および鉛直方向のいずれの方向にも適切な位置に固定するための位置調整が煩雑であるという課題がある。
【０００５】
本発明は、かかる課題に鑑みてなされたものであり、その目的とするところは、二つの部材の二方向における相対位置を容易に調整することが可能な二つの部材の固定構造を提供することにある。
【課題を解決するための手段】
【０００６】
かかる目的を達成するために本発明の二つの部材の固定構造は、突出部を備えた突出部保有部材と、前記突出部と係合し前記突出部保有部材を第１方向に相対移動可能に案内する第１案内部を有する第１部材と、前記第１案内部とともに前記突出部と係合する第２案内部を有し前記突出部保有部材に対して前記第１方向と交差する第２方向に相対移動可能な第２部材と、前記突出部保有部材と前記第１部材とを前記第１方向に相対移動不能に固定する固定具と、を有し、前記第２部材は、前記突出部保有部材と前記第１部材とのうちの少なくともいずれか一方に固定されていることを特徴とする二つの部材の固定構造である。
【０００７】
このような二つの部材の固定構造によれば、第２部材とともに突出部に係合している第１部材は、突出部保有部材を第１方向に移動可能に案内する第１案内部を有しているので、固定具により突出部保有部材と第１部材とが第１方向に相対移動不能に固定されると、第２部材に対する第１部材の第１方向への相対移動が規制される。また、突出部保有部材に対して第２方向に相対移動可能な第２部材は、突出部保有部材と第１部材とのうちの少なくともいずれか一方に固定されているので、第２方向における第１部材と第２部材との相対移動が規制されている。このため、第１部材と第２部材とを、第１方向と第２方向においてそれぞれ独立して互いの相対位置を調整できるので、二つの部材の二方向における相対位置を容易に調整することが可能である。
【０００８】
かかる二つの部材の固定構造であって、前記突出部保有部材は、基部材と、前記突出部をなし前記基部材に螺合されたボルトであり、前記第１部材と前記第２部材とは前記ボルトが緩んだ状態で相対移動可能であり、前記ボルトが締め込まれて前記第１部材と前記第２部材との相対移動が規制されて固定されることが望ましい。
【０００９】
このような二つの部材の固定構造によれば、第１部材と第２部材とが係合している突出部はボルトなので、ボルトが緩んだ状態で第１部材と第２部材との相対位置を調整し、適切な位置に調整した状態でボルトを締め込むことにより第１部材と第２部材とを適切な相対位置に配置した状態で固定することが可能である。
【００１０】
かかる二つの部材の固定構造であって、前記第１部材は構造体から張り出して設けられる長尺部材であり、前記第２部材は前記構造体における前記長尺部材の張出位置に当該構造体から突出されて前記長尺部材が取り付けられる取付部材であることが望ましい。
【００１１】
このような二つの部材の固定構造によれば、構造体から張り出して設けられる長尺部材を、構造体に対して適切な位置及び方向に張り出させることが可能である。
【００１２】
かかる二つの部材の固定構造であって、前記長尺部材は長手方向に貫通する中空部を有しており、前記突出部保有部材は、前記突出部を前記中空部材内から外側に突出させて前記長尺部材に設けられ、前記長尺部材に上方から固定されていることが望ましい。
【００１３】
このような二つの部材の固定構造によれば、突出部保有部材は、突出部を中空部材内から外側に突出させて長尺部材に設けられ、長尺部材に上方から固定具により固定されているので、上方からの作業により長尺部材を容易に固定することが可能である。また、長尺部材が視線より上方に配置される場合には、固定具を視界から隠すことが可能である。
【００１４】
かかる二つの部材の固定構造であって、前記長尺部材は長手方向に貫通する中空部を有しており、前記突出部保有部材は、前記突出部を前記中空部材内から外側に突出させて前記長尺部材に設けられ、前記長尺部材に下方から固定されていることとしてもよい。
【００１５】
このような二つの部材の固定構造によれば、突出部保有部材は、突出部を中空部材内から外側に突出させて長尺部材に設けられ、長尺部材に下方から固定具により固定されているので、下方からの作業により長尺部材を容易に固定することが可能である。また、長尺部材が視線より下方に配置される場合には、固定具を視界から隠すことが可能である。
【００１６】
かかる二つの部材の固定構造であって、前記長尺部材は前記第１方向および前記第２方向といずれも交差する第３方向に並べて複数設けられていることが望ましい。
【００１７】
このような二つの部材の固定構造によれば、各々の長尺部材をより正確な位置に配置することが可能なので、第３方向においても整列させて長尺部材を並べて配置することが可能である。
【発明の効果】
【００１８】
本発明によれば、二つの部材の二方向における相対位置を容易に調整することが可能な二つの部材の固定構造を提供することが可能である。
【図面の簡単な説明】
【００１９】
【図１】本実施形態に係る二つの部材の固定構造が適用される梁材の一例を示す概略図である。
【図２】梁とブラケットとの固定構造の構成を示す斜視図である。
【図３】梁とブラケットとの固定構造を示す水平断面図である。
【図４】梁とブラケットとの固定構造を外壁側から見た図である。
【図５】梁とブラケットとの固定構造の施工手順を示す斜視図である。
【図６】ブラケットが梁材内に挿入される二つの部材の固定構造の構成を示す斜視図である。
【図７】ブラケットが梁材内に挿入される二つの部材の固定構造を示す水平断面図である。
【図８】梁材が裏板保持部を備えドリルねじを使用する例の構成を示す斜視図である。
【図９】梁材が裏板保持部を備えドリルねじを使用する例を示す水平断面図である。
【図１０】梁材が裏板保持部を備えドリルねじを使用する例を示す二つの部材の固定構造を外壁側から見た図である。
【図１１】コ字状金具を用いドリルねじを使用する例の構成を示す斜視図である。
【図１２】コ字状金具を用いドリルねじを使用する例を示す水平断面図である。
【図１３】コ字状金具を用いドリルねじを使用する例を示す二つの部材の固定構造を外壁側から見た図である。
【図１４】コ字状金具を梁材の下面に固定する例の構成を示す斜視図である。
【図１５】コ字状金具を梁材の下面に固定する例を示す側面図である。
【図１６】コ字状金具を梁材の上面に固定する例の構成を示す斜視図である。
【図１７】コ字状金具を梁材の上面に固定する例を示す側面図である。
【発明を実施するための形態】
【００２０】
以下、本発明の一実施形態に係る二つの部材の固定構造について図面を参照して説明する。
本実施形態においては、二つの部材の固定構造として、例えば図１に示すような、構造体としての建物１の入隅と成った対向する外壁１ａ間には外壁１ａから夫々張り出して設けられる長尺部材としての梁材２を、躯体(不図示)に固定されて外壁１ａから突設された取付部材としてのブラケット３に固定する梁材２とブラケット３との固定構造を例に挙げて説明する。
【００２１】
本実施形態の梁材２とブラケット３との固定構造は、建物１の対向する外壁１ａ間に複数の梁材２が掛け渡されており、各梁材２において外壁１ａに固定される両端部が同様にブラケット３に固定されており、例えば、掛け渡された複数の梁材２上に根太（不図示）を介してバルコニーの床材１ｂが取り付けられる。
【００２２】
梁材２は、図２〜図４に示すように、例えば、断面が矩形状をなし長手方向に貫通する中空部２ａを有する角パイプ状の部材である。梁材２の各端部には、梁材２が建物１に取り付けられた姿勢において両側の側壁部２ｂに、それぞれ二つずつ第１案内部としての長孔２ｃが設けられている。二つの長孔２ｃは、長さ方向が長手方向に沿うとともに長手方向に二つ並べて設けられている。梁材２とブラケット３との固定構造は、両端部において同様なので、以下では一方のみについて説明する。
【００２３】
ブラケット３は、水平断面がコ字状をなす部材であり、例えば鋼板を折り曲げて形成されている。ブラケット３は、建物１の躯体に当接されるとともにアンカーボルト４により固定される固定板部３ａと、固定板部３ａの水平方向の両端部から各々躯体から離れる方向に延出されて互いに対向する側板部３ｂとを有している。対向する側板部３ｂの間隔は、梁材２の幅より僅かに広く形成されている。各側板部３ｂには、上縁部３ｃから上下方向に沿って第２案内部としての切り欠き部３ｄが設けられている。
【００２４】
梁材２は、躯体に固定されて建物１の外壁１ａから突設されたブラケット３の内側に、端部が挿入されて建物１から張り出すように配置されている。梁材２には、ブラケット３の切り欠き部３ｄと梁材２の二つの長孔２ｃのうちの外壁１ａ側の長孔２ｃとを貫通する２本のボルト６と、梁材２の二つの長孔２ｃのうちの外壁１ａから遠い側に位置する長孔２ｃを貫通するボルト６とが裏板７に螺合されてブラケット３に固定されている。以下の説明においては、２本のボルト６のいずれか一方を示す場合には、梁材２の各端部において各側壁部２ｂに設けられた２つの長孔２ｃのうちの端部側に位置する長孔２ｃに挿通されるボルト６を端側ボルト６ａとし、梁材の中央側に位置するボルト６を中央側ボルト６ｂとして説明する。ここで、本実施形態においては裏板７が基部材に相当し、端側ボルト６ａが突出部に相当し、端側ボルト６ａに裏板７が螺合された部材が突出部保有部材５に相当する。
【００２５】
裏板７は、例えば平板状の鋼板でなり、梁材２が有する長手方向に並ぶ二つの長孔２ｃの各中心の間隔と略同じ間隔を隔てた２箇所にバーリング加工が施されてタップ孔７ａが形成されている。この裏板７は、二つのタップ孔７ａが形成可能な長さと幅とを有する長方形状をなしている。
【００２６】
本実施形態の梁材２の固定方法は、図５に示すように、まず、梁材２の端部の各側壁部２ｂにおいて、二つの長孔２ｃに各々梁材２の外側から中空部２ａ内に向かってボルト６を挿通させ中空部２ａ内にて裏板７に螺合させる。このとき、ボルト６は締め込むことなく、且つボルト６が裏板７から外れ落ちることがない程度に螺合しておく。
【００２７】
次に、裏板７を梁材２の側壁部２ｂの内面側に近づけて２本のボルト６を側壁部２ｂより外側に十分突出させ、躯体に固定されたブラケット３の側板部３ｂ間に梁材２の端部を挿入するとともに側板部３ｂより突出しているボルト６をブラケット３の切り欠き部３ｄに係合させる。このとき、側壁部２ｂの外面とボルト６の頭部との間隔がブラケット３の側板部３ｂの厚みより広く配置しておく。ここで、梁材２及びブラケット３と係合し裏板７に螺合されたボルト６が突出部に相当し、裏板７が突出部保有部材に相当する。
【００２８】
次に、梁材２の長手方向における位置を所望の位置に調整（出入り調整）して、二つの長孔２ｃのうちの外壁１ａから遠い側に位置する長孔２ｃを貫通する固定具としての中央側ボルト６ｂを締め込んで梁材２と裏板７とを固定する。これにより、第１部材としての梁材２はブラケット３に対する第１方向としての長手方向の相対移動が規制される。
【００２９】
次に、裏板７が固定された梁材２の上下方向の位置を調整（レベル調整）して、二つの長孔２ｃのうちの外壁１ａに近い側に位置する長孔２ｃを貫通する端側ボルト６ａを締め込んでブラケット３と裏板７との間に梁材２を挟んでブラケット３に梁材２を固定する。これにより、第１部材としての梁材２と第２部材としてのブラケット３との第２方向としての上下方向の相対移動が規制される。本実施形態の梁材２は、バルコニーの床を形成し、長手方向および上下方向とそれぞれ直行する第三の方向として、取り付けられる外壁１ａに沿った水平方向に並べられた複数の梁材２なので、例えば、並べられた梁材２の長手方向の位置及び上下方向に位置が揃うように梁材２の位置が調整されてブラケット３に固定される。
【００３０】
本実施形態の二つの部材の固定構造によれば、ブラケット３とともに端側ボルト６ａに係合している梁材２は、突出部保有部材５を長手方向に移動可能に案内する長孔２ｃを有しているので、中央側ボルト６ｂにより突出部保有部材５と梁材２とが長手方向に相対移動不能に固定されると、ブラケット３に対する梁材２の長手方向への相対移動が規制される。また、突出部保有部材５を上下方向に相対移動可能に案内する切り欠き部３ｄを有するブラケット３は、突出部保有部材５とともに梁材２を挟んで突出部保有部材５に固定されているので、上下方向における梁材２とブラケット３との相対移動が規制されている。このため、梁材２とブラケット３とを、長手方向と上下方向においてそれぞれ独立して互いの相対位置を調整できるので、梁材２とブラケット３との二方向における相対位置を容易に調整することが可能である。
【００３１】
また、梁材２とブラケット３とが共に係合されているのは締め込まれていない端側ボルト６ａなので、係合している梁材２を長孔２ｃに沿って相対移動させ、ブラケット３に対して梁材２を切り欠き部３ｄに沿って相対移動させることが可能であり、また、端側ボルト６ａを締め込むことにより梁材２をブラケット３に容易に固定することが可能である。
【００３２】
また、梁材２を建物１の外壁１ａから突出させたブラケット３に上述した二つの部材の固定構造により取り付けると、梁材２を外壁１ａに対して適切な方向に張り出させることが可能である。特に、本実施形態のように、複数の梁材２を第３方向としての、外壁に沿った水平方向に並べて設ける場合であって、更に床のような平面を形成する場合には、水平方向に並ぶ複数の梁材２における上下方向の位置を正確に調整する必要がある。このとき、上下方向と長手方向とを同時に調整する従来のような固定構造では、正確な位置調整が難しい。このため本実施形態のように長手方向における位置調整と上下方向における位置調整とを独立して行うことが可能な本発明の二つの部材の固定方法がより適している。
【００３３】
上記実施形態においては、梁材２の端部側にて各側壁部２ｂに２つの長孔２ｃを水平方向に並べて配置した例について説明したが、２つの長孔２ｃは必ずしも水平方向に並んでいなくとも、梁材２と突出部保有部材５とが長手方向に相対移動可能にボルト６が係合可能に配置されていれば構わない。
【００３４】
上記実施形態においては、ブラケット３の側板部３ｂが梁材２の外側に配置される例について説明したが、これに限らず、たとえば、図６、図７に示すように、ブラケット３を梁材２の中空部２ａ内に挿入する形態であっても構わない。この場合には、梁材２の中空部２ａを形成する側壁部２ｂの内面側にブラケット３が有する側板部３ｂが配置されるので、各裏板７はブラケット３の側板部３ｂの略厚み分だけ段曲げされている。このように、ブラケット３を梁材２の内側に配置するとブラケット３が外部に露出する部分が小さくなるので意匠性を高めることが可能である。
【００３５】
また、上記実施形態においては、梁材２に設けられた長孔２ｃを貫通し裏板７に螺合される固定具をいずれもボルト６としたが、これに限るものではない。たとえば、外壁１ａより遠い側に位置する長孔２ｃを貫通する固定具は、図８〜図１０に示すようにドリルねじ８であっても構わない。この場合には、梁材２には外壁１ａに近い側に長孔２ｃと、外壁１ａに遠い側にドリルねじ８のねじ部より僅かに大きな直径の丸孔２ｄとを形成しておく。また、ドリルねじ８で梁材２と裏板７とを螺着する際に、ドリルねじ８により裏板７が押されて逃げないように梁材２の中空部２ａ内に裏板保持部２ｅを形成しておく。裏板保持部２ｅは、長方形状の裏板７の長辺側が梁材２の長手方向に沿い、梁材２の側壁部２ｂの内面に裏板７が当接または近接するように裏板７を保持するように、例えば梁材２が押し出し成形される際に一体に形成される。また裏板保持部２ｅは、当該裏板保持部２ｅに配置された裏板７と梁材２の長孔２ｃ及び丸孔２ｄとの位置が一致するように形成されている。
【００３６】
ドリルねじ８を使用する際には、まず、裏板７を裏板保持部２ｅに挿入し長孔２ｃを貫通する端側ボルト６ａを裏板７に螺合する。このとき、端側ボルト６ａは締め込むことなく、且つ端側ボルト６ａが裏板７から外れ落ちることがない程度に螺合しておく。
【００３７】
次に、端側ボルト６ａを側壁部２ｂより外側に十分突出させ、躯体に固定されたブラケット３の側板部３ｂ間に梁材２の端部を挿入するとともに側壁部２ｂより突出している端側ボルト６ａをブラケット３の切り欠き部３ｄに係合させる。
【００３８】
次に、梁材２の長手方向における位置を所望の位置に調整した後に丸孔２ｄを貫通するドリルねじ８を裏板７に螺合させて締め込んで裏板７と梁材２とを固定する。これにより、梁材２はブラケット３に対する長手方向の相対移動が規制される。
【００３９】
次に、裏板７が固定された梁材２の上下方向の位置を調整して、長孔２ｃを貫通する端部ボルト６ａを締め込んでブラケット３と裏板７との間に梁材２を挟んでブラケット３に梁材２を固定する。これにより、梁材２とブラケット３との上下方向の相対移動が規制される。
【００４０】
このようにドリルねじ８を使用する際に平板状の裏板７を用いると、梁材２に裏板保持部２ｅが必要になるため製造コストが増大する。そこで、ドリルねじ８を使用する際には、図１１〜図１３に示すように、梁材２の下面２ｆと両側壁部２ｂの内面に沿うような、断面がコ字状をなす、突出部保有部材としてのコ字状金具９を裏板の代わりに用いることによりコストを抑えることが可能である。
【００４１】
また、コ字状金具９を用いる場合には、ドリルねじ８の使用の有無に拘わらず、図１４、図１５に示すように、コ字状金具９を梁材２の中空部２ａ内にて下面２ｆに当接させて配置すると、梁材２の下面２ｆに形成され長手方向に沿う長孔２ｇを貫通するボルト６を螺合して梁材２とコ字状金具９とを固定することが可能である。このように、コ字状金具９を梁材２の下面２ｆにボルト６により固定する場合には、例えば、梁材２を作業者の上方に配置する際に作業性が向上し、１本のボルト６ｃにより梁材２とコ字状金具９とを固定できるので、梁材２の水平方向における両側からそれぞれ端側ボルト６ａで固定する場合より更に作業性が向上する。さらに、梁材２が人の視線より下に配置されるとボルト６ｃを視界から隠すことが可能である。
【００４２】
また、図１６、図１７に示すように、コ字状金具９を梁材２の中空部２ａ内にて上面２ｈに当接させて配置すると、梁材２の上面２ｈに形成され長手方向に沿う長孔２ｉを貫通するボルト６ｃを螺合して梁材２とコ字状金具９とを固定することも可能である。このようにコ字状金具９を梁材２の上面２ｈにボルト６ｃにより固定する場合には、例えば、梁材２を作業者の下方に配置する際に作業性が向上し、１本のボルト６により梁材２とコ字状金具９とを固定できるので、梁材２の水平方向における両側から各々端側ボルト６ａで固定する場合より更に作業性が向上する。さらに、梁材２が人の視線より上に配置されるとボルト６ｃを視界から隠すことが可能である。
【００４３】
上記実施形態においては、ボルト６が螺合される部材を、平板状の裏板７及びコ字状金具としたが、これに限らず、例えば、断面がＬ字状やロ字状をなす部材であっても構わない。断面がロ字状をなす部材の場合は、下面、上面のいずれかにおいてボルトやドリルねじで固定できるためより兼用性が向上する。
【００４４】
上記実施形態においては、突出部保有部材５を裏板７に端側ボルト６ａが螺合された形態とした例について説明したが、これに限るものではない。たとえば、裏板に切り起こし部やスタッドなどの突出部を設けた突出部保有部材を用い、突出部保有部材と各々異なる方向への相対移動が許容される梁材及びブラケットのうちの少なくともいずれか一方と突出部保有部材とをビスなどの固定具により固定する構成であっても構わない。
【００４５】
上記実施形態においては、第１部材を梁材２とし、第２部材をブラケット３とした例について説明したがこれに限らず、二つの部材を二方向において相対位置を調整して固定する二つの部材であれば構わない。
【００４６】
上記実施形態においては、梁材２は建物１の対向する外壁１ａ間に掛け渡されている例について説明したが、これに限らず、例えば、外壁と直行する方向に張り出して設けられた片持ち支持される梁材であっても構わない。
【００４７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  建物、２  梁材、２ａ  中空部、２ｃ  長孔、２ｄ  丸孔、２ｇ  長孔、
２ｉ  長孔、３  ブラケット、３ｄ  切り欠き部、５突出部保有部材、６  ボルト、
６ａ  端側ボルト、６ｂ  中央側ボルト、７  裏板、８  ドリルねじ、９  コ字状金具
【図１】
2017009005.tif 000003
【図２】
2017009005.tif 000004
【図３】
2017009005.tif 000005
【図４】
2017009005.tif 000006
【図５】
2017009005.tif 000007
【図６】
2017009005.tif 000008
【図７】
2017009005.tif 000009
【図８】
2017009005.tif 000010
【図９】
2017009005.tif 000011
【図１０】
2017009005.tif 000012
【図１１】
2017009005.tif 000013
【図１２】
2017009005.tif 000014
【図１３】
2017009005.tif 000015
【図１４】
2017009005.tif 000016
【図１５】
2017009005.tif 000017
【図１６】
2017009005.tif 000018
【図１７】
2017009005.tif 000019